(57)【特許請求の範囲】
【請求項１】
警備対象施設の警備状況を監視する警備端末から電気通信回線を介して該警備状況に関する警備情報を受け取る警備センターにおける警備センターシステムにおいて、
該電気通信回線を介して該警備情報を受け取る複数の受信部と、
該複数の受信部から個別に該警備情報を受け取ると共に、異なる該受信部から受け取った警備情報を統合する受信管理部と、
該受信管理部から該警備情報を受け取ると共に、該受信管理部から受け取った警備情報の処理及び又は表示を行う警備情報処理部とを備え、
該受信管理部が、
該警備情報の統合として、異なる該受信部から受け取った同一の該警備端末の一連の該警備情報を合成し、又は異なる該受信部からの同一の該警備端末の該警備情報を選択し、
該合成された警備情報又は該選択された警備情報を、該警備情報処理部に送ることを特徴とする警備センターシステム。
【請求項２】
前記受信部が、前記警備情報を記憶する受信部用記憶手段を有することを特徴とする請求項１記載の警備センターシステム。
【請求項３】
前記受信部が、前記警備情報を表示する表示手段を有することを特徴とする請求項２記載の警備センターシステム。
【請求項４】
前記受信管理部が、前記警備情報を記憶する受信管理部用記憶手段を有することを特徴とする請求項１〜請求項３のいずれかに記載の警備センターシステム。
【発明の詳細な説明】
【技術分野】
【０００１】
本発明は、警備対象施設の警備状況を監視する警備端末から電気通信回線を介して該警備状況に関する警備情報を受け取る警備センターにおける警備センターシステムに関する。
【背景技術】
【０００２】
従来より、一般の家庭や店舗、工場等の警備対象施設側に、異常を検知するセンサ等を設け、センサ等を警備端末に接続し、警備対象施設の警備状況を監視する警備端末から電気通信回線を介して該警備状況に関する警備情報を受け取る警備センターにおける警備センターシステムが用いられている。
【０００３】
この警備センターシステムとして、例えば、特許文献１のセキュリティ監視制御システムがある。このセキュリティ監視制御システムは、複数の監視端末を、通信網を介して少なくとも二箇所以上の監視拠点に設けられた拠点側装置から監視制御を行なうセキュリティ監視制御システムで、拠点側装置には、監視端末とのインターフェイス部と、他拠点の拠点側装置とのインターフェイス部と、監視端末についての監視・制御及び設定データを含む各種のデータを記憶したデータベースと、各種データの入出力を担う監視操作卓と、拠点側装置の各構成部位を制御する制御サーバとを設けている。そして、制御サーバは、他の拠点側装置との間で交信を行って、データベースに記憶された各種データの各拠点間における同一性を維持するデータ同期化処理を所定のタイミングで実行するような構成である。
【０００４】
すなわち、特許文献１のセキュリティ監視制御システムは、警備センターをメインとサブに二重化し、それぞれをコンピュータネットワークで接続して、データベースをお互いに複製し冗長化を高めている。この場合、例えば、メインが停止しても、サブに切り替えて受信を継続することができる。
【先行技術文献】
【特許文献】
【０００５】
【特許文献１】特開２００９−９８７５７号公報
【発明の概要】
【発明が解決しようとする課題】
【０００６】
しかしながら、従来の警備センターシステムでは、同性能のサーバを２台用意する必要があり、コストが掛かったり、故障した場合、復旧するのに時間が掛かるといった問題がある。
【０００７】
本発明は、このような事情に鑑みてなされたもので、冗長性を確保すると共に、受信及び処理性能を向上させた警備センターシステムを提供することにある。
【課題を解決するための手段】
【０００８】
請求項１記載の警備センターシステムは、電気通信回線を介して警備情報を受け取る複数の受信部と、複数の受信部から個別に警備情報を受け取ると共に、異なる受信部から受け取った警備情報を統合する受信管理部と、受信管理部から警備情報を受け取ると共に、受信管理部から受け取った警備情報の処理及び又は表示を行う警備情報処理部とを備え、受信管理部が、警備情報の統合として、異なる受信部から受け取った同一の警備端末の一連の警備情報を合成し、又は異なる受信部からの同一の警備端末の警備情報を選択し、合成された警備情報又は選択された警備情報を、警備情報処理部に送ることを特徴とする。
【０００９】
請求項２記載の警備センターシステムは、受信部が、警備情報を記憶する受信部用記憶手段を有することを特徴とする。
【００１０】
請求項３記載の警備センターシステムは、受信部が、警備情報を表示する表示手段を有することを特徴とする。
【００１１】
請求項４記載の警備センターシステムは、受信管理部が、警備情報を記憶する受信管理部用記憶手段を有することを特徴とする。
【発明の効果】
【００１３】
本願発明によれば、冗長性を確保すると共に、受信及び処理性能を向上させることが可能である。
【図面の簡単な説明】
【００１４】
【図１】本発明に係る警備センターシステムを含む警備システム全体の構成の一例を示す構成図である。
【発明を実施するための形態】
【００１５】
以下、本発明の形態について図面を参照しながら具体的に説明する。図１は、本発明に係る警備センターシステムを含む警備システム全体の構成の一例を示す構成図である。図において、警備システム１は、警備対象施設の警備状況を監視する警備端末６から電気通信回線４を介して警備状況に関する警備情報を受け取って管理・処理を行う警備センター１０に及ぶ警備全体のシステムである。そして、警備センターシステムは、警備対象施設の警備状況を監視する警備端末６から電気通信回線４を介して警備状況に関する警備情報を受け取る警備センター１０における構成及び仕組みである。
【００１６】
具体的には、警備システム１は、一般の家庭や店舗、工場等の警備対象施設に設けられた警備端末６、インターネット網や電話の公衆回線等の電気通信回線４、警備端末６の様子を電気通信回線４を介して監視する警備センター１０に設けられたセンター装置１４等から構成されている。
【００１７】
警備対象施設に設けられた警備端末６には、ドアの開閉を検知するものや火災を検知するものやガス漏れを検知するものや各種のセンサが接続され、警備対象施設内の不法侵入や火災やガス漏れ等の異常の発生を検知するものである。そして、その異常の発生を電気通信回線４を介して警備センター１０に通報する。
【００１８】
警備センター１０は、警備端末６からの異常の通報や、異常の内容を示す警備情報を受信し、電子計算機である監視端末１２に表示し、警備センター１０に居る監視員に、警備対象施設で異常が発生したことを伝えるものである。
【００１９】
電気通信回線４は、双方向で情報の伝達が可能な電気通信回線で、一般公衆網（一般電話回線）のような有線回線や携帯電話網のような無線回線で、専用線的な接続や、インターネット網のようなネットワークであってもよく、警備端末６やセンター装置１４との間で警備情報等の送受信が可能な電気通信回線であれば、その形態によって制限されるものではない。
【００２０】
センター装置１４は、警備情報処理部２０、受信管理部３０及び複数の受信部４０とから構成されている。複数ある受信部４０は、電気通信回線を介して警備情報を受け取る機能を有し、電気通信回線４との間に設けられた複数の受信変換器８と接続されている。受信変換器８は、電気通信回線４の様々な通信形態によって運ばれる警備情報を、警備センター１０側で取り扱うことができる方式の信号に変換するもので、例えば、ターミナルアダプタやモデムに該当する。そして、受信部４０では、電気通信回線４毎の通信プロトコルに従って、受信変換器８から警備情報の受信を行う。また、受信部４０は、受信変換器８から受け取った警備情報を記憶する記憶手段として記憶部４２を有している。尚、受信部４０は、複数設けられ、それぞれの受信部４０に、複数の受信変換器８が接続されている。
【００２１】
受信管理部３０は、複数の受信部４０から受け取った警備情報を統合するものである。受信管理部３０は、警備情報の統合として２つの機能の片方又は両方を有している。受信管理部３０の警備情報の統合の機能の１つは、複数の受信部４０から受け取った一連の警備情報を合成するものである。この合成とは、具体的には、１つの警備端末から１つの警備対象施設の一塊の関係ある警備情報が送られてきた場合、その警備情報の一部が１つの受信変換器８を経由して受信部４０に送られ、その警備情報の他の一部が他の受信変換器８を経由して同一の受信部４０に送られてきた場合に、異なる受信変換器８から受け取った複数の断片的な警備情報を、一塊の関係ある警備情報として１つの受信部４０で、一体にすることである。また、受信管理部３０の警備情報の統合の機能のもう１つは、複数の受信部４０のうち、いずれか１つの受信部４０を選択し、その選択した受信部４０からの警備情報を受け取る機能である。
【００２２】
また、受信管理部３０は、受信部４０から受け取った警備情報を記憶する記憶手段として記憶部３２を有している。記憶部３２で、またどの受信経路で警備情報が通知されたかを記憶しておくことも可能である。
【００２３】
警備情報処理部２０は、受信管理部３０から警備情報を受け取ると共に、受信管理部３０から受け取った警備情報の処理及び又は表示を行う。警備情報処理部２０は、警備情報の最終保存と監視端末１２への警備情報の表示を行う。警備情報処理部２０の記憶部２２では警備情報を長期保存するため、大容量の保存領域を有している。
【００２４】
以上のような構成の警備システム１における警備センターシステムの動作を説明する。まず、通常の動作としては、警備端末６からの警備情報を、電気通信回線４を介して、受信変換器８が受信し、受信変換器８が受信した警備情報を、複数ある受信部４０のうちの１つが受け取る。警備端末６が用いる電気通信回線４の種類は、それぞれの警備対象施設の状況等で任意に選ばれており、また、電気通信回線４の種類別に、受信変換器８が接続され、通常の動作としては、センター装置１４側で通常用いると予め定めた種類の電気通信回線４を用い、その種類に適合した受信変換器８を介して、警備情報をいずれかの受信部４０が受け取る。
【００２５】
受信部４０では、受け取った警備情報を、記憶部４２に保存すると共に、受信管理部３０に送る。受信管理部３０では、１つの受信部４０から受け取った警備情報が、一連の警備情報として問題ない場合には、その警備情報を、記憶部３２に保存すると共に、警備情報処理部２０に送る。警備情報処理部２０では、受信管理部３０から受け取った警備情報を、記憶部２２に保存すると共に、警備情報の管理や、監視端末１２で表示可能な状態にする。
【００２６】
通常の動作は、以上であるが、例えば、電気通信回線４の一部に停止や通信が安定しない系があり、１つの受信変換器８で一連の警備情報を十分に取得できず、しかしながら、電気通信回線４の他の系により、他の受信変換器８で、不十分な一連の警備情報を受信できた場合、この２つの受信変換器８でそれぞれ受信した警備情報を、１つの受信部４０で統合し、一連の警備情報にする。受信部４０では、統合した警備情報を記憶部４２に保存する。これにより、電気通信回線４のいずれかの系で停止や通信が安定しない状態になっても、電気通信回線４から受信変換器８の系に対する冗長性を確保することができる。
【００２７】
また、各警備端末６からの警備情報を受信するセンター装置１４の処理・受信の各部をそれぞれ独立して動作する警備情報処理部２０、受信管理部３０、受信部４０に分割し、それぞれに記憶部２２，３２，４２を持たせることで、警備情報処理部２０や受信管理部３０が故障やメンテナンスで停止しても、受信部４０は継続して警備情報を受信し、一時記憶することができるので、警備情報の紛失を避けることができる。そして、受信部４０を複数設けることで、それぞれ冗長に構成することができる。さらに、警備情報処理部２０、受信管理部３０、受信部４０に分割し、それぞれに記憶部２２，３２，４２を持たせることで、処理を負荷分散ができ、全体としての処理許容量を増やすことができる。それに加え、各部の設置の組み合わせが多様化できるため、警備情報処理部２０や受信管理部３０をクラウドサービス等のデータセンターに設置して、事業継続を考慮することもできる。
【００２８】
尚、警備情報処理部２０、受信管理部３０、受信部４０をハードウェア的にそれぞれ独立して（例えば、物理的に独立したコンピュータ）設けてセンター装置１４を構成させることも可能である一方、各部の機能を、仮想化技術を使って同一コンピュータ内に構築したりすることも可能である。警備情報処理部２０、受信管理部３０、受信部４０をハードウェア的にそれぞれ独立させた場合、各部の接続は、直接ケーブルで接続することも可能であるが、警備情報処理部２０、受信管理部３０及び受信部４０を、物理的に離れた場所に設置し、各部を電気通信回線で接続するような遠隔的に配置することも可能である。
【００２９】
さらに、受信部４０自体の機能は少機能とすることで、高負荷に耐えられる性能を保有し、また不具合やバージョンアップの必要性を少なくするようにするのが好ましい。また、受信部４０に、警備情報を表示する表示手段を設けることも可能で、表示手段を設けることで、受信管理部３０や警備情報処理部２０が故障しても、警備情報を見ることができる。尚、受信部４０の表示手段としては、簡易表示機能で最低限の警備情報を見ることができれば良い。
【００３０】
さらに、受信管理部３０では、どの経路で警備情報が通知されたかを記憶しておくことも可能であり、警備情報処理部２０が、警備情報の受信とは逆方向に、警備端末６の制御を行うときに、受信管理部３０で警備情報を取得できた経路情報（すなわち正常に動作している経路の情報）を用いて、経路を選択して警備端末６と通信を行うこともできる。
【産業上の利用可能性】
【００３１】
以上のように、本発明によれば、冗長性を確保すると共に、受信及び処理性能を向上させた警備センターシステムを提供することができる。
【符号の説明】
【００３２】
１・・・・警備システム
４・・・・電気通信回線
６・・・・警備端末
８・・・・受信変換器
１０・・・警備センター
１２・・・監視端末
１４・・・センター装置
２０・・・警備情報処理部
２２・・・記憶部
３０・・・受信管理部
３２・・・記憶部
４０・・・受信部
４２・・・記憶部
【図１】
0006591186.tif 000002